(57)【要約】【課題】  １つのアプリケーションの動作の段階に対応して、キーの優先順位を変更する情報処理装置を提供する。【解決手段】  音楽再生部は、モード選択動作時（ステップＳ２１ｂ）、音楽再生時（ステップＳ２１ｅ及びステップＳ２１ｇ）毎に複数のキーが同時操作された際に、いずれのキーが動作されたとみなすかを示す情報を記憶する。そして、複数のキーが同時操作された際、その情報に従って、いずれかのキーが操作されたとみなす。【選択図】  図５
2007094910.tif 000002
【特許請求の範囲】
【請求項１】
複数のキーからなり、一時に操作された１つまたは複数の前記キーの識別子を出力する入力手段と、前記出力されたキー識別子に応じた動作を実行する処理手段とを有する情報処理装置において、
前記一時の操作によって出力される複数のキー識別子の組合せに応じて、優先されるキー識別子を当該一時の操作時に実行中の動作に対応付けて記憶する記憶手段を備え、
前記処理手段は、前記入力手段から複数のキー識別子が出力された際、第１の動作を実行中であれば、前記記憶手段に当該第１の動作と対応付けられて記憶された前記優先されるキー識別子に応じた動作を実行し、第２の動作を実行中であれば、前記記憶手段に当該第２の動作と対応付けられて記憶された前記優先されるキー識別子に応じた動作を実行する
ことを特徴とする情報処理装置。
【請求項２】
前記記憶手段は、前記一時の操作によって出力される複数のキー識別子の１つを前記優先されるキー識別子として当該一時の操作時に実行中の動作に対応付けて記憶する
ことを特徴とする請求項１に記載の情報処理装置。
【請求項３】
前記記憶手段は、前記一時の操作によって出力される複数のキー識別子以外のキー識別子を前記優先されるキー識別子として当該一時の操作時に実行中の動作に対応付けて記憶する
ことを特徴とする請求項１に記載の情報処理装置。
【請求項４】
前記記憶手段は、前記一時の操作が短押しか長押しかに対応付けて異なる前記優先されるキー識別子を記憶し、
前記処理手段は、前記入力手段から複数のキー識別子が出力された際、前記一時の操作が短押しか長押しかを判定し、この判定結果に応じて、前記記憶手段に当該一時の操作が短押しまたは長押しと対応付けられて記憶された前記優先されるキー識別子に応じた動作をそれぞれ実行する
ことを特徴とする請求項１に記載の情報処理装置。
【請求項５】
複数のキーからなり、一時に操作された１つまたは複数の前記キーの識別子を出力する入力手段と、
前記一時の操作によって出力される複数のキー識別子のうち優先されるキー識別子を当該一時の操作時に実行中の動作に対応付けて記憶する記憶手段と、
前記入力手段から複数のキー識別子が出力された際、第１の動作を実行中であれば、前記記憶手段に当該第１の動作と対応付けられて記憶された前記優先されるキー識別子に応じた動作を実行し、第２の動作を実行中であれば、前記記憶手段に当該第２の動作と対応付けられて記憶された前記優先されるキー識別子に応じた動作を実行する処理手段と
を備えたことを特徴とする情報処理装置。
【発明の詳細な説明】
【技術分野】
【０００１】
本発明は、情報処理装置に係り、特に複数のキーの押下によって動作を制御する処理に関する。
【背景技術】
【０００２】
小型の情報処理装置が音楽コンテンツなどを記憶して、再生する処理が知られている。ここで、音楽コンテンツとは、音楽情報が符号化された情報であり、音楽でない音声情報が符号化された情報を含んでも良い。また、音楽情報に加えて、画像情報が符号化された情報を含んでいても良い。また、この情報処理装置は、音楽再生専用の装置に限るものではない。例えば、音楽再生機能を備えた可搬型の移動通信端末装置を含んでも良い。
【０００３】
小型の情報処理装置における音楽再生の制御は、小型のキーの操作によって複数のメニューから項目を選択することによって行われることが通例である。そのため、装置の使用者は、誤って複数のキーを同時に操作する可能性があった。そこで、それぞれのキーに優先順位を付し、所定のアプリケーションが動作中に複数のキーが同時に操作された場合、操作されたキーの中で、最も優先順位が高いキーが操作されたとみなす処理が知られている（例えば、特許文献１参照。）。
【０００４】
ここで、キーとは、押下の有無によって操作される電気的なスイッチであるが、これに限るものではない。例えば、タッチパネルであり、指の接触によって操作されるスイッチでも良い。タッチパネルにおける同時操作とは、例えば、複数のスイッチに対応して定められた接触すべき位置の中間が接触された場合である。
【特許文献１】実公平１−２４６５９号公報（第１頁、図３）
【発明の開示】
【発明が解決しようとする課題】
【０００５】
ここで、１つのアプリケーションが動作中に、複数のメニューをたどることによって動作の状況が変化した場合、同時に操作されたキーの中で操作されたとみなすキーを変化させることが求められている。
【０００６】
しかしながら、上述した特許文献１に開示されている方法では、動作の状況に応じて同時に操作されたキーの中で操作されたとみなすキーを変化させることに対応できない問題点があった。この問題点は、音楽再生以外の情報処理においても同様である。
【０００７】
本発明は、上記問題点を解決するためになされたもので、１つのアプリケーションの動作の段階に対応して、キーの優先順位を変更する情報処理装置を提供することを目的とする。
【課題を解決するための手段】
【０００８】
上記目的を達成するために、本発明の情報処理装置は、複数のキーからなり、一時に操作された１つまたは複数の前記キーの識別子を出力する入力手段と、前記出力されたキー識別子に応じた動作を実行する処理手段とを有する情報処理装置において、前記一時の操作によって出力される複数のキー識別子の組合せに応じて、優先されるキー識別子を当該一時の操作時に実行中の動作に対応付けて記憶する記憶手段を備え、前記処理手段は、前記入力手段から複数のキー識別子が出力された際、第１の動作を実行中であれば、前記記憶手段に当該第１の動作と対応付けられて記憶された前記優先されるキー識別子に応じた動作を実行し、第２の動作を実行中であれば、前記記憶手段に当該第２の動作と対応付けられて記憶された前記優先されるキー識別子に応じた動作を実行することを特徴とする。
【発明の効果】
【０００９】
本発明によれば、１つのアプリケーションの動作の段階に対応して、キーの優先順位を変更する情報処理装置を提供することができる。
【発明を実施するための最良の形態】
【００１０】
以下に、本発明による情報処理装置の実施の形態を、図面を参照して説明する。図１は、本発明の実施形態に係る情報処理装置が適用された、音楽を再生する折畳み型移動通信端末装置の上下筐体の折畳みを開いた時の外観を示す図である。図１（ａ）は背面図を、図１（ｂ）は側面図を、図１（ｃ）は正面図をそれぞれ示す。この移動通信端末装置は、上筐体１と下筐体２とが、ヒンジ部３によって回動自在に連結されてなる。
【００１１】
上筐体１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる正面表示部１５とが設置されている。
【００１２】
また、下筐体２の内面には、送話に用いられるマイクロフォン１４ｂが設置されている。下筐体２の内面と側面には、キーパッドからなる入力装置１６が設けられている。更に、下筐体２内には、電波の送受に用いられるアンテナ（図示せず）が設置されている。
【００１３】
更に、下筐体２の外面には、ミュージックコンソール部１７が設置されている。ミュージックコンソール部１７は、音楽再生に関して、使用者に操作を促す表示や、使用者が操作した内容の表示や、カーソル位置や、装置の動作状態の表示などに用いられるバックライト付きのＬＣＤ（Liquid Crystal Display）からなる背面表示部１７ａと、音楽再生に関して、動作指示の入力に用いられるミュージックコンソールボタン１７ｂとからなる。
【００１４】
入力装置１６は、下筐体２の内面に設置され、各機能での確定や選択を指示するために用いられるワープ中央キー１６ａと、ワープ中央キー１６ａに隣接してワープ中央キー１６ａを取り囲んで設置され、正面表示部１５上のカーソル位置の移動指示などに用いられるワープ十字キー１６ｂとを含む。
【００１５】
更に、入力装置１６は、英数字や文字、記号の入力などに用いられる数字キーと、移動通信端末装置の電源の投入及び切断などの動作指示の入力に用いられる複数の機能キーと、下筐体２の側面に設置された複数の側面キー１６ｃとを含んでいる。
【００１６】
更に、ヒンジ部３には、上下筐体１、２が開状態にあるか、または、閉状態にあるかを検出する開閉検出部（図示せず）が設置されて、その開閉検出部から開閉信号が出力されている。
【００１７】
図２は、この折畳み型移動通信端末装置を、図１に示した上下筐体１、２が開状態にある状態から、上筐体１が回動されて上下筐体１、２が閉状態になった状態の外観を示す図である。図２（ａ）は背面図、即ち下筐体２の外面図を、図２（ｂ）は側面図を、図２（ｃ）は正面図、即ち上筐体１の外面図をそれぞれ示す。この、上下筐体１、２が開状態にある状態では、上筐体１の内面に設置された正面表示部１５の表示は視認できず、また、下筐体２の内面に設置された入力装置１６のキーは操作できない。
【００１８】
図３は、ミュージックコンソールボタン１７ｂの外観の詳細を示す図である。ミュージックコンソールボタン１７ｂは略長方形の、破損しにくい可撓性のある板材からなり、上辺中央部近傍に２つの長方形と、それらの長方形をむすぶ矢印が描かれて、モード切替ボタン１７ｃを示す。ここで、これらの長方形は、メニューによる選択動作を象徴している。
【００１９】
また、右辺中央部近傍に２つの右向き矢印が描かれて、次へ／早送りボタン１７ｄを示す。更に、左辺中央部近傍に２つの左向き矢印が描かれて、戻る／巻き戻しボタン１７ｅを示す。また、下辺中央部近傍に１つの右向き矢印と２本の縦棒が描かれて、再生／一時停止ボタン１７ｆを示す。
【００２０】
ここで、右向き矢印は再生方向の動作を示し、１つの右向き矢印は再生動作を象徴し、２つの右向き矢印は早送り動作を象徴する。また、左向き矢印は再生方向と逆方向の動作を示し、２つの左向き矢印は巻き戻し動作を象徴する。更に、縦棒は、再生の停止を象徴する。
【００２１】
なお、モード切替ボタン１７ｃは、カーソルを上に移動するためのボタンとして、また、再生／一時停止ボタン１７ｆは、カーソルを下に移動するためのボタンとして用いられることもある。更に、次へ／早送りボタン１７ｄは、カーソルが置かれた行で表される事柄を選択するためのボタンとして、戻る／巻き戻しボタン１７ｅは、１段上のメニューへ戻るためのボタンとして用いられることもある。
【００２２】
それぞれのボタン１７ｃ〜１７ｆの下部にはそれぞれ電気的なスイッチ（図示せず）が設置されており、あるスイッチが導通していることによって、そのスイッチに対応するボタンの押下操作がされたことが検出される。また、あるスイッチが導通していないことによって、そのスイッチに対応するボタンの押下操作がされていないことが検出される。そこで、ボタン１７ｃ〜１７ｆは、キーと同じ機能を有する。
【００２３】
ここで、ボタン１７ｃ〜１７ｆの中の１つのボタンのみが押下操作されると限るものではない。ボタン１７ｃ〜１７ｆの中の隣接する２つのボタンの同時押下操作がされることがあり、更に、ミュージックコンソールボタン１７ｂは可撓性のある板材からなるため、任意の２つ、または、３つのボタン同時押下操作がされることがあり、４つのボタン全ての同時押下操作がされることがある。
【００２４】
図４は、この移動通信端末装置の構成を示すブロック図である。この移動通信端末装置は、開閉信号３ａが入力され、装置全体の制御を行う制御部１１と、基地局（図示せず）との間で電波の送受信を行うアンテナ１２ａと、通信部１２ｂと、送受信部１３と、受話及び音楽再生用のスピーカ１４ａと、送話用のマイクロフォン１４ｂと、通話部１４ｃと、正面表示部１５と、背面表示部１７ａと、入力装置１６と、ミュージックコンソールボタン１７ｂと、音楽再生部２１と、音楽コンテンツ記憶部２２と、電子メールを送受信する電子メール送受信部３１と、Ｗｅｂページへアクセスするブラウザ部３２とからなる。
【００２５】
音楽コンテンツ記憶部２２には、１つまたは複数の音楽コンテンツ２２ａが記憶される。音楽コンテンツ記憶部２２に記憶される音楽コンテンツ２２ａは、音声情報が符号化された情報である。そして、音楽コンテンツ２２ａは、電子メール送受信部３１によって受信された添付ファイルとして受信されたものや、ブラウザ部３２によってダウンロードされたものであるがこれに限るものではない。
【００２６】
なお、音楽コンテンツ２２ａは、音声情報が符号化された情報に加えて、画像情報が符号化された情報を含んでいても良い。また、その音楽コンテンツ２２ａに関する文字情報を含んでいても良い。
【００２７】
上記のように構成された、本発明の実施形態に係る移動通信端末装置の各部の動作を、図４を参照して説明する。
【００２８】
通信部１２ｂは、アンテナ１２ａが受信した高周波信号を送受信部１３へ出力し、また、送受信部１３から出力される高周波信号をアンテナ１２ａより送信する。
【００２９】
送受信部１３は、通信部１２ｂからの高周波信号を増幅、周波数変換及び復調し、それによって得られたデジタル音声信号を通話部１４ｃに送り、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００３０】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００３１】
正面表示部１５は、開閉信号３ａによって上下筐体１、２が開状態にあると検出された場合に、制御部１１に制御されることで、文字・数字や画像データの表示動作を行い、表示されているデータは、入力装置１６からの入力操作や着信信号に応答して制御部１１からの指示を受けることで切換わる。
【００３２】
背面表示部１７ａは、開閉信号３ａによって上下筐体１、２が閉状態にあると検出された場合に、制御部１１に制御されることで、文字・数字や画像データの表示動作を行い、表示されているデータは、ミュージックコンソールボタン１７ｂからの入力操作や着信信号に応答して制御部１１からの指示を受けることで切換わる。
【００３３】
入力装置１６は、通信相手の電話番号を指定するための数字キーと複数の機能キーとを含むキーからなる。そして、入力装置１６のキーが操作されると、そのキーの識別子が制御部１１に通知され、制御部１１によって、正面表示部１５に文字として表示され、または、制御が行われる。
【００３４】
ミュージックコンソールボタン１７ｂの４つのボタン１７ｃ〜１７ｆの内の任意個のボタンが操作されると、それらの操作された全てのボタンの識別子が制御部１１を経由して音楽再生部２１に通知される。また、制御部１１は、操作が所定の時間以内の操作であれば、ボタンの識別子に加えて短押し操作である旨を音楽再生部２１に通知し、操作が所定の時間を越える操作であれば、ボタンの識別子に加えて長押し操作である旨を音楽再生部２１に通知する。
【００３５】
音楽再生部２１は、音楽コンテンツ２２ａの一覧を正面表示部１５または背面表示部１７ａに表示する。そして、入力装置１６またはミュージックコンソールボタン１７ｂの所定のキーが操作されると、上記一覧の中から１つ、または、複数の音楽コンテンツ２２ａを選択し、選択された音楽コンテンツ２２ａを再生する。
【００３６】
以下、本実施形態に係る移動通信端末装置のミュージックコンソールボタン１７ｂを用いた音楽再生制御に関する動作を説明する。図５は、音楽再生部２１のミュージックコンソールボタン１７ｂを用いた音楽再生制御動作のフローチャートを示す。
【００３７】
音楽再生部２１は、上下筐体１、２が開状態にある際に下筐体２の内面に設置された入力装置１６の所定の機能キーが操作されると、制御部１１が起動して動作を開始し、上下筐体１、２が閉じられた後、ミュージックコンソールボタン１７ｂのボタン１７ｃ〜１７ｆの操作による音楽再生の制御動作を開始する（ステップＳ２１ａ）。
【００３８】
また、音楽再生部２１は、上下筐体１、２が閉状態にある際に下筐体２の側面に設置された所定の側面キー１６ｃが操作されると、制御部１１が起動して動作を開始し、ミュージックコンソールボタン１７ｂのボタン１７ｃ〜１７ｆの操作による音楽再生の制御動作を開始する（ステップＳ２１ａ）。
【００３９】
音楽再生部２１は、続いて、モード選択動作を行う（ステップＳ２１ｂ）。即ち、背面表示部１７ａにモード一覧からなるモード選択メニューを表示する。図６は、モード選択メニューの一例を示す。このモード選択メニュー１７ｇは、３つのモード「プレイリスト」、「音楽ライブラリ」及び「セレクション」を示す文字が３行に表示されている。
【００４０】
そして、これらの３行の中の１行にカーソルが置かれ、その１行は、他の行と異なる表示形態で表示される。モード選択メニュー１７ｇが表示された際の初期状態では、１行目の「プレイリスト」にカーソルが置かれる。なお、異なる表示形態としては、異なる色で表示される、点滅表示されるなどがあるが、これらに限るものではない。他の行と識別可能であれば良い。図６に示す一例では、文字「プレイリスト」を網掛け表示として、文字「プレイリスト」の行にカーソルが置かれていることを示す。
【００４１】
ここで、モード切替ボタン１７ｃが操作されると、音楽再生部２１は、カーソルが置かれる行を１行上に移動する。また、再生／一時停止ボタン１７ｆが操作されると、カーソルが置かれる行を１行下に移動する。
【００４２】
また、次へ／早送りボタン１７ｄが操作されると、音楽再生部２１は、カーソルが置かれた行で表されるモードを選択する。戻る／巻き戻しボタン１７ｅが操作されると、音楽再生部２１は動作を終了する。
【００４３】
このステップＳ２１ｂのモード選択動作中に、ボタンの同時操作、即ち、複数のボタンが同時に押下操作された場合、音楽再生部２１は、音楽再生部２１内に記憶されたモード選択時優先ボタン情報に従って、特定のボタンを優先し、その特定のボタンが操作されたとみなす。そして、その特定のボタンが操作された際の制御動作を行う。図７は、モード選択時優先ボタン情報の一例を示す。このモード選択時優先ボタン情報２１ａは、優先されるボタン２１ｂと、同時操作されたボタン２１ｃとが対応付けられた情報の組からなる。
【００４４】
そして、優先されるボタン２１ｂとして「次へ／早送りボタン」と、同時操作されたボタン２１ｃとして「モード切替ボタンと、次へ／早送りボタン」とが対応づけられて記憶されており、モード切替ボタン１７ｃと、次へ／早送りボタン１７ｄとが同時操作された場合、次へ／早送りボタン１７ｄが操作されたとみなすことが記憶されている。
【００４５】
また、優先されるボタン２１ｂとして「戻る／巻き戻しボタン」と、同時操作されたボタン２１ｃとして「モード切替ボタンと、戻る／巻き戻しボタン」とが対応づけられて記憶されており、モード切替ボタン１７ｃと、戻る／巻き戻しボタン１７ｅとが同時操作された場合、戻る／巻き戻しボタン１７ｅが操作されたとみなすことが記憶されている。
【００４６】
この、モード切替ボタン１７ｃを優先しない処理は、モード選択メニュー１７ｇが表示された際の初期状態では、１行目の「プレイリスト」にカーソルが置かれているため、モード切替ボタン１７ｃが操作される必要性がないためであり、モード切替ボタン１７ｃを含む複数のボタンが同時操作された場合、必要性がないモード切替ボタン１７ｃの操作を無視するのが適切だからである。
【００４７】
音楽再生部２１は、ステップＳ２１ｂで選択されたモードによって動作を分岐する（ステップＳ２１ｃ）。モードとして「プレイリスト」が選択された場合、音楽再生部２１は、プレイリスト、即ち、複数の音楽コンテンツ２２ａの識別子のリストであり、このリストに記憶された順で音楽コンテンツ２２ａを再生する動作を行うため、まず、プレイリスト作成の動作を行う（ステップＳ２１ｄ）。
【００４８】
即ち、音楽コンテンツ記憶部２２に記憶された音楽コンテンツ２２ａの一覧を背面表示部１７ａに表示する。図８は、音楽コンテンツ一覧の一例を示す。この音楽コンテンツ一覧１７ｈは、複数の行からなり、１行が１つの音楽コンテンツ２２ａを識別する情報、例えば、音楽コンテンツ２２ａの名称を示し、図７に示す例では、「楽曲Ａ」、「楽曲Ｂ」及び「楽曲Ｃ」なる名称の音楽コンテンツ２２ａが音楽コンテンツ記憶部２２に記憶されていることを示す。
【００４９】
そして、これらの３行の中の１行にカーソルが置かれ、その１行は、他の行と異なる表示形態で表示される。音楽コンテンツ一覧１７ｈが表示された際の初期状態では、１行目（図８に示す一例では、「楽曲Ａ」。）にカーソルが置かれる。なお、異なる表示形態としては、異なる色で表示される、点滅表示されるなどがあるが、これらに限るものではない。他の行と識別可能であれば良い。図８に示す一例では、文字「楽曲Ａ」を網掛け表示として、文字「楽曲Ａ」の行にカーソルが置かれていることを示す。
【００５０】
ここで、モード切替ボタン１７ｃが操作されると、音楽再生部２１は、カーソルが置かれる行を１行上に移動する。また、再生／一時停止ボタン１７ｆが操作されると、カーソルが置かれる行を１行下に移動する。
【００５１】
なお、多くの音楽コンテンツ２２ａが音楽コンテンツ記憶部２２に記憶されている場合、全ての音楽コンテンツ２２ａを識別する情報を背面表示部１７ａに表示できない可能性がある。その場合、音楽再生部２１は、一部の音楽コンテンツ２２ａを識別する情報を表示し、表示される音楽コンテンツ２２ａを識別する情報は、モード切替ボタン１７ｃ及び再生／一時停止ボタン１７ｆの操作に従って、スクロールする。
【００５２】
また、次へ／早送りボタン１７ｄが操作されると、音楽再生部２１は、カーソルが置かれた行で示される音楽コンテンツ２２ａの識別子をプレイリストの末尾に追加する。プレイリストが空である場合、その識別子からなるプレイリストを作成する。
【００５３】
このように、モード切替ボタン１７ｃ、再生／一時停止ボタン１７ｆ及び次へ／早送りボタン１７ｄを用いてプレイリストを作成し、戻る／巻き戻しボタン１７ｅが操作されると、音楽再生部２１は、プレイリストの作成を終了する。そして、作成されたプレイリストによるプレイリスト再生動作、即ち、プレイリストに識別子が記憶された音楽コンテンツ２２ａを、記憶された順に再生する動作を行う（ステップＳ２１ｅ）。即ち、その音楽コンテンツ２２ａを音楽コンテンツ記憶部２２から読み込んで、復号し、スピーカ１４ａから音楽を発生させて、制御動作を終了する（ステップＳ２１ｆ）。
【００５４】
ステップＳ２１ｅのプレイリスト再生動作の際、音楽再生部２１は、プレイリストに記憶された音楽コンテンツ２２ａを識別する情報の一覧を背面表示部１７ａに表示し、かつ、再生中の音楽コンテンツ２２ａを識別する情報を他の識別する情報と異なる表示形態で表示する。
【００５５】
ステップＳ２１ｅのプレイリスト再生動作の際、ミュージックコンソールボタン１７ｂのボタン１７ｃ〜１７ｆの中の１つのボタンが操作されることにより、音楽再生部２１は、以下の制御動作を行う。即ち、モード切替ボタン１７ｃが操作された場合、音楽再生部２１は、プレイリスト再生動作を続けつつ、ステップＳ２１ｂのモード選択の制御動作を行う（図示せず）。そして、そのモード選択に続き、ステップＳ２１ｅのプレイリスト再生動作または後述するステップＳ２１ｇの１曲再生の動作の開始の前に、上記続けられていたプレイリスト再生動作を終了する。
【００５６】
次へ／早送りボタン１７ｄが短押し操作されると、音楽再生部２１は、再生中の音楽コンテンツ２２ａの再生を終了し、プレイリスト中に再生中の音楽コンテンツ２２ａの識別子の次に記憶された識別子で識別される音楽コンテンツ２２ａの再生を行う。次へ／早送りボタン１７ｄが長押し操作されると、音楽再生部２１は、再生中の音楽コンテンツ２２ａの早送りを行う。
【００５７】
戻る／巻き戻しボタン１７ｅが短押し操作されると、音楽再生部２１は、再生中の音楽コンテンツ２２ａの再生を終了し、プレイリスト中に再生中の音楽コンテンツ２２ａの識別子の前に記憶された識別子で識別される音楽コンテンツ２２ａの再生を行う。戻る／巻き戻しボタン１７ｅが長押し操作されると、音楽再生部２１は、再生中の音楽コンテンツ２２ａの巻き戻しを行う。
【００５８】
再生／一時停止ボタン１７ｆが短押し操作されると、音楽再生部２１は、再生中の音楽コンテンツ２２ａの再生を一時停止する。再生が一時停止している場合、再生／一時停止ボタン１７ｆが短押し操作されると、音楽再生部２１は、一時停止されている音楽コンテンツ２２ａの再生を再開する。再生／一時停止ボタン１７ｆが長押し操作されると、音楽再生部２１は、音楽コンテンツ２２ａの再生を終了し、背面表示部１７ａへの表示を終了し、制御動作を終了する（図示せず）。
【００５９】
ステップＳ２１ｅのプレイリスト再生動作の際、ミュージックコンソールボタン１７ｂのボタン１７ｃ〜１７ｆの中の複数のボタンが同時操作されることにより、音楽再生部２１は、音楽再生部２１内に記憶された再生時短押し操作優先ボタン情報と、再生時長押し操作優先ボタン情報とに従って、特定のボタンを優先し、その特定のボタンが操作されたとみなす。そして、その特定のボタンが操作された際の制御動作を行う。図９は、再生時短押し操作優先ボタン情報の一例を示す。この再生時短押し操作優先ボタン情報２１ｄは、優先されるボタン２１ｅと、同時操作されたボタン２１ｆとが対応付けられた情報の組からなる。
【００６０】
そして、優先されるボタン２１ｅとして「次へ／早送りボタンの長押し」と、同時操作されたボタン２１ｆとして「モード切替ボタンと、次へ／早送りボタン」とが対応づけられて記憶されており、モード切替ボタン１７ｃと、次へ／早送りボタン１７ｄとが同時短押し操作された場合、次へ／早送りボタン１７ｄが長押し操作されたとみなすことが記憶されている。この記憶された対応により、新たにモード選択の処理より早送り処理が優先される。
【００６１】
また、優先されるボタン２１ｅとして「モード切替ボタン」と、同時操作されたボタン２１ｆとして「モード切替ボタンと、戻る／巻き戻しボタン」とが対応づけられて記憶されており、モード切替ボタン１７ｃと、戻る／巻き戻しボタン１７ｅとが同時短押し操作された場合、モード切替ボタン１７ｃが短押し操作されたとみなすことが記憶されている。この記憶された対応により、プレイリスト中に再生中の音楽コンテンツ２２ａの前に記憶された音楽コンテンツ２２ａを再生する処理より新たなモード選択処理が優先される。
【００６２】
また、優先されるボタン２１ｅとして「モード切替ボタン」と、同時操作されたボタン２１ｆとして「次へ／早送りボタンと、戻る／巻き戻しボタン」とが対応づけられて記憶されており、次へ／早送りボタン１７ｄと、戻る／巻き戻しボタン１７ｅとが同時短押し操作された場合、モード切替ボタン１７ｃが短押し操作されたとみなすことが記憶されている。この記憶された対応により、相反する方向に再生する操作がされた場合、新たなモード選択処理が優先される。
【００６３】
図１０は、再生時長押し操作優先ボタン情報の一例を示す。この再生時長押し操作優先ボタン情報２１ｇは、優先されるボタン２１ｈと、同時操作されたボタン２１ｉとが対応付けられた情報の組からなる。
【００６４】
そして、優先されるボタン２１ｈとして「次へ／早送りボタン」と、同時操作されたボタン２１ｉとして「モード切替ボタンと、次へ／早送りボタン」とが対応づけられて記憶されており、モード切替ボタン１７ｃと、次へ／早送りボタン１７ｄとが同時長押しされた場合、次へ／早送りボタン１７ｄが長押し操作されたとみなすことが記憶されている。この記憶された対応により、新たにモード選択の処理より早送り処理、即ち、再生を続ける処理が優先される。
【００６５】
また、優先されるボタン２１ｈとして「戻る／巻き戻しボタン」と、同時操作されたボタン２１ｉとして「モード切替ボタンと、戻る／巻き戻しボタン」とが対応づけられて記憶されており、モード切替ボタン１７ｃと、戻る／巻き戻しボタン１７ｅとが同時長押しされた場合、戻る／巻き戻しボタン１７ｅが長押し操作されたとみなすことが記憶されている。この記憶された対応により、新たにモード選択の処理より巻き戻し処理、即ち、再生を続ける処理が優先される。
【００６６】
また、優先されるボタン２１ｈとして「次へ／早送りボタン」と、同時操作されたボタン２１ｉとして「次へ／早送りボタンと、再生／一時停止ボタン」とが対応づけられて記憶されており、次へ／早送りボタン１７ｄと、再生／一時停止ボタン１７ｆとが同時長押しされた場合、次へ／早送りボタン１７ｄが長押し操作されたとみなすことが記憶されている。この記憶された対応により、音楽再生を終了するより早送り処理、即ち、再生を続ける処理が優先される。
【００６７】
また、優先されるボタン２１ｈとして「戻る／巻き戻しボタン」と、同時操作されたボタン２１ｉとして「戻る／巻き戻しボタンと、再生／一時停止ボタン」とが対応づけられて記憶されており、戻る／巻き戻しボタン１７ｅと、再生／一時停止ボタン１７ｆとが同時長押しされた場合、戻る／巻き戻しボタン１７ｅが長押し操作されたとみなすことが記憶されている。この記憶された対応により、音楽再生を終了する処理より巻き戻し処理が優先される。
【００６８】
また、優先されるボタン２１ｈとして「次へ／早送りボタン」と、同時操作されたボタン２１ｉとして「次へ／早送りボタンと、戻る／巻き戻しボタン」とが対応づけられて記憶されており、次へ／早送りボタン１７ｄと、戻る／巻き戻しボタン１７ｅとが同時長押しされた場合、次へ／早送りボタン１７ｄが長押し操作されたとみなすことが記憶されている。この記憶された対応により、相反する方向に再生する操作がされた場合、順方向に再生する処理が優先される。
【００６９】
また、優先されるボタン２１ｈとして「再生／一時停止ボタン」と、同時操作されたボタン２１ｉとして「モード切替ボタンと、次へ／早送りボタンと、戻る／巻き戻しボタンと、再生／一時停止ボタン」とが対応づけられて記憶されており、モード切替ボタン１７ｃと、次へ／早送りボタン１７ｄと、戻る／巻き戻しボタン１７ｅと、再生／一時停止ボタン１７ｆとが同時長押しされた場合、再生／一時停止ボタン１７ｆが長押し操作されたとみなすことが記憶されている。この記憶された対応により、全てのボタンが操作される、通常あり得ない操作がされた場合、音楽再生を終了する処理が優先される。
【００７０】
ステップＳ２１ｃで、選択されたモードが「音楽ライブラリ」である場合、音楽再生部２１は、音楽コンテンツ記憶部２２に記憶された音楽コンテンツ２２ａの１つを再生する動作を行って（ステップＳ２１ｇ）、制御動作を終了する（ステップＳ２１ｆ）。
【００７１】
即ち、上記「プレイリスト」が選択された場合と同様に、音楽コンテンツ記憶部２２に記憶された音楽コンテンツ２２ａの一覧を背面表示部１７ａに表示し、モード切替ボタン１７ｃ及び再生／一時停止ボタン１７ｆによって、その中の１つにカーソルを移動し、次へ／早送りボタン１７ｄが操作された場合、カーソルが置かれた行で示される音楽コンテンツ２２ａを再生する。また、戻る／巻き戻しボタン１７ｅが操作されると、音楽再生部２１は、モード選択動作に戻る（図示せず）。
【００７２】
ステップＳ２１ｇの１曲再生動作の際、音楽再生部２１は、再生中の音楽コンテンツ２２ａの名称を背面表示部１７ａに表示する。
【００７３】
ステップＳ２１ｇの１曲再生動作の際、ミュージックコンソールボタン１７ｂのボタン１７ｃ〜１７ｆの中の１つのボタンが操作されることにより、音楽再生部２１は、ステップＳ２１ｅのプレイリスト再生動作の際にミュージックコンソールボタン１７ｂのボタン１７ｃ〜１７ｆの中の１つのボタンが操作された場合の制御動作と同じ制御動作を行う。ただし、１曲再生の際には、プレイリストが設定されていないので、次へ／早送りボタン１７ｄが短押し操作された場合には制御動作を行わない。また、戻る／巻き戻しボタン１７ｅが短押し操作された場合、直前の画面であるモード選択メニュー１７ｇを背面表示部１７ａに表示する。
【００７４】
ステップＳ２１ｇの１曲再生動作の際、ミュージックコンソールボタン１７ｂのボタン１７ｃ〜１７ｆの中の複数のボタンが同時操作されることにより、音楽再生部２１は、音楽再生部２１内に記憶された再生時短押し操作優先ボタン情報２１ｄと、再生時長押し操作優先ボタン情報２１ｇとに従って、上述したステップＳ２１ｅのプレイリスト再生動作の際、ミュージックコンソールボタン１７ｂのボタン１７ｃ〜１７ｆの中の複数のボタンが同時操作された場合と同じ動作を行い、所定のボタンが操作されたとみなす。
【００７５】
ステップＳ２１ｃで、選択されたモードが「セレクション」である場合、音楽再生部２１は、音楽コンテンツ記憶部２２が複数の記憶部に分割される場合、例えば、装置内部の記憶部と取り外し可能な記憶媒体に分割される場合、分割される記憶部の一覧を背面表示部１７ａに表示し、上記「音楽ライブラリ」が選択された場合と同様に、その中の１つを選択して（ステップＳ２１ｈ）、ステップＳ２１ｂのモード選択の動作に移る。そして、以後、ステップＳ２１ｄまたはステップＳ２１ｇで、上記選択された記憶部に記憶された音楽コンテンツ２２ａを識別する情報を表示する。
【００７６】
以上の説明では、音楽再生部２１は、復号した音楽を受話音声の出力を行うスピーカ１４ａから出力するとしたが、これに限るものではない。装置は、音楽再生用の第２のスピーカ（図示せず）を有し、音楽再生部２１は、復号した音楽を第２のスピーカから出力するとしても良い。
【００７７】
また、以上の説明では、ミュージックコンソールボタン１７ｂは略長方形の可撓性のある板材からなるとしたが、これに限るものではない。例えば、略円形の可撓性のある板材からなるとしても良い。また、例えば、ドーナッツ状の、中央部を含まない形状の可撓性のある板材からなっても良い。
【００７８】
更に、ミュージックコンソールボタン１７ｂのボタン１７ｃ〜１７ｆの下部にはそれぞれ電気的なスイッチが設置されており、そのスイッチの導通により、ボタン１７ｃ〜１７ｆが操作されているか否かを検出するとしたが、これに限るものではない。例えば、ミュージックコンソールボタン１７ｂは略長方形のタッチパネルからなり、その長方形の４辺近傍に指が触れているか否かにより、４つのボタンのいずれが操作されているか否かを検出するとしても良い。
【００７９】
また、隣り合う２つの辺から略等距離の位置に指が触れていることが検出された場合、それらの２つの辺に対応するボタンが同時操作されたと判断する。更に、略長方形の中央部に指が触れていることが検出された場合、４つの全てのボタンが同時操作されたと判断する。ここで、タッチパネルは、タッチスクリーンでも良い。また、感圧式であっても良く、静電式であっても良い。
【００８０】
また、以上の説明は、音楽コンテンツ２２ａは、符号化された音声情報であるとしたが、これに限るものではない。音楽コンテンツ２２ａが符号化された映像情報を含んでいる場合、音楽再生部２１は、音楽コンテンツ２２ａの再生の際、その符号化された映像情報を復号し、背面表示部１７ａに表示する。また、音楽コンテンツ２２ａが文字情報を含んでいる場合、音楽再生部２１は、音楽コンテンツ２２ａの再生の際、その文字情報を背面表示部１７ａに表示する。
【００８１】
また、以上の説明では、ミュージックコンソールボタン１７ｂは、下筐体２に設置されているとしたが、これに限るものではない。上筐体１に設置されていても良い。また、移動通信端末装置は、上筐体１または下筐体２と信号線ケーブルで接続された音楽再生用のヘッドフォン（図示せず）を有し、ミュージックコンソールボタン１７ｂは、そのケーブルの中途部分に設置されていても良い。更に、ミュージックコンソールボタン１７ｂは、移動通信端末装置と近距離無線通信方式、例えば、赤外線によって無線通信を行うとしても良い。
【００８２】
また、以上の説明では、モード選択時優先ボタン情報２１ａ、再生時短押し操作優先ボタン情報２１ｄ及び再生時長押し操作優先ボタン情報２１ｇとは、表形式によって音楽再生部２１内に記憶されているとしたが、これに限るものではない。例えば、音楽再生部２１がプログラムによって制御動作を行う場合、そのプログラム中に組み込まれていても良い。
【００８３】
また、以上の説明は、本発明を音楽を再生する移動通信端末装置に適用した形態を例にとって行ったが、本発明は、音楽再生専用の装置、ＰＤＡ（Personal Digital Assistant）、パソコンなど、音楽を再生するあらゆる装置に適用することが当然に可能である。また、音楽再生以外の機能を有する装置に適用することが可能である。本発明は以上の構成に限定されるものではなく、種々の変形が可能である。
【図面の簡単な説明】
【００８４】
【図１】本発明の実施形態に係る折畳み型移動通信端末装置の上下筐体を開いた際の外観図。
【図２】本発明の実施形態に係る折畳み型移動通信端末装置の上下筐体を閉じた際の外観図。
【図３】本発明の実施形態に係る移動通信端末装置のミュージックコンソールボタンの外観図。
【図４】本発明の実施形態に係る移動通信端末装置の構成を示すブロック図。
【図５】本発明の実施形態に係る音楽再生部の音楽再生制御動作のフローチャート。
【図６】本発明の実施形態に係る音楽再生部によって表示されるモード選択メニューの一例を示す図。
【図７】本発明の実施形態に係る音楽再生部が記憶するモード選択時優先ボタン情報の一例を示す図。
【図８】本発明の実施形態に係る音楽再生部によって表示される音楽コンテンツ一覧の一例を示す図。
【図９】本発明の実施形態に係る音楽再生部が記憶する再生時短押し操作優先ボタン情報の一例を示す図。
【図１０】本発明の実施形態に係る音楽再生部が記憶する再生時長押し操作優先ボタン情報の一例を示す図。
【符号の説明】
【００８５】
１  上筐体
２  下筐体
３  ヒンジ部
３ａ  開閉信号
１５  正面表示部
１６  入力装置
１７  ミュージックコンソール部
１７ａ  背面表示部
１７ｂ  ミュージックコンソールボタン
１７ｃ  モード切替ボタン
１７ｄ  次へ／早送りボタン
１７ｅ  戻る／巻き戻しボタン
１７ｆ  再生／一時停止ボタン
１７ｇ  モード選択メニュー
１７ｈ  音楽コンテンツ一覧
２１  音楽再生部
２１ａ  モード選択時優先ボタン情報
２１ｂ、２１ｅ、２１ｈ  優先されるボタン
２１ｃ、２１ｆ、２１ｉ  同時操作されたボタン
２１ｄ  再生時短押し操作優先ボタン情報
２１ｇ  再生時長押し操作優先ボタン情報
２２  音楽コンテンツ記憶部
２２ａ  音楽コンテンツ
【図１】
2007094910.tif 000003
【図２】
2007094910.tif 000004
【図３】
2007094910.tif 000005
【図４】
2007094910.tif 000006
【図５】
2007094910.tif 000007
【図６】
2007094910.tif 000008
【図７】
2007094910.tif 000009
【図８】
2007094910.tif 000010
【図９】
2007094910.tif 000011
【図１０】
2007094910.tif 000012
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
複数のキーからなり、一時に操作された１つまたは複数の前記キーの識別子を出力する入力手段と、前記出力されたキー識別子に応じて第１の動作を実行した後に第２の動作を実行する処理手段とを有する情報処理装置において、
前記一時の操作によって出力される複数のキー識別子の組合せと、所定のキー識別子と、当該一時の操作時に実行中の動作とを対応付けて記憶する記憶手段を備え、
前記処理手段は、前記第１の動作中に、その第１の動作が続く操作を示すキーの識別子と、前記第２の動作へ進むための操作を示すキーの識別子とが前記入力手段から出力された場合、前記記憶手段に当該第１の動作と対応付けられて記憶された前記所定のキー識別子に応じて、前記第２の動作へ進むための操作を示すキーが操作されたとして動作し、前記第２の動作中に、その第２の動作を終了するための操作を示すキーの識別子と、その第２の動作が続く操作を示すキーの識別子とが前記入力手段から出力された場合、前記記憶手段に当該第２の動作と対応付けられて記憶された前記所定のキー識別子に応じて、前記第２の動作が続くための操作を示すキーが操作されたとして動作する
ことを特徴とする情報処理装置。
【請求項２】
前記記憶手段は、前記一時の操作によって出力される複数のキー識別子の１つを前記所定のキー識別子として当該一時の操作時に実行中の動作に対応付けて記憶する
ことを特徴とする請求項１に記載の情報処理装置。
【請求項３】
前記記憶手段は、前記一時の操作によって出力される複数のキー識別子以外のキー識別子を前記所定のキー識別子として当該一時の操作時に実行中の動作に対応付けて記憶する
ことを特徴とする請求項１に記載の情報処理装置。
【請求項４】
前記記憶手段は、前記一時の操作が短押しか長押しかに対応付けて異なる前記所定のキー識別子を記憶し、
前記処理手段は、前記入力手段から複数のキー識別子が出力された際、前記一時の操作が短押しか長押しかを判定し、この判定結果に応じて、前記記憶手段に当該一時の操作が短押しまたは長押しと対応付けられて記憶された前記所定のキー識別子に応じた動作をそれぞれ実行する
ことを特徴とする請求項１に記載の情報処理装置。
【請求項５】
複数のキーからなり、一時に操作された１つまたは複数の前記キーの識別子を出力する入力手段と、
前記一時の操作によって出力される複数のキー識別子と、その複数のキー識別子のうちの所定のキー識別子と、当該一時の操作時に実行中の動作とを対応付けて記憶する記憶手段と、
第１の動作中に、その第１の動作が続く操作を示すキーの識別子と、第２の動作へ進むための操作を示すキーの識別子とが前記入力手段から出力された場合、前記記憶手段に当該第１の動作と対応付けられて記憶された前記所定のキー識別子に応じて、前記第２の動作へ進むための操作を示すキーが操作されたとして動作し、前記第２の動作中に、その第２の動作を終了するための操作を示すキーの識別子と、その第２の動作が続く操作を示すキーの識別子とが前記入力手段から出力された場合、前記記憶手段に当該第２の動作と対応付けられて記憶された前記所定のキー識別子に応じて、前記第２の動作が続くための操作を示すキーが操作されたとして動作することによって、前記第１の動作を実行した後に前記第２の動作を実行する処理手段と
を備えたことを特徴とする情報処理装置。
【請求項６】
前記記憶手段は、前記第１の動作に対応付けて、前記入力手段上の第１の方向に位置するキーの識別子と、前記入力手段上の第１の方向に位置しないキーの識別子とからなる前記一時の操作によって出力される複数のキー識別子の組合せと、前記第１の方向に位置しないキーの識別子からなる前記所定のキー識別子とを記憶し、
前記処理手段は、前記第１の動作を実行中に、前記第１の方向上に位置するキーの識別子が前記入力手段から出力されると前記第１の動作を続け、前記第１の方向上に位置しないキーの識別子が前記入力手段から出力されると前記第２の動作に進み、前記第１の方向上に位置するキーの識別子及び前記第１の方向上に位置しないキーの識別子が前記入力手段から出力されると、前記記憶手段に記憶された前記所定のキー識別子が前記入力手段から出力されたとして前記第２の動作に進む
ことを特徴とする請求項１または請求項５に記載の情報処理装置。
【請求項７】
複数のキーからなり、前記複数のキーの中の１つのキーが操作された場合、この操作されたキーの識別子を出力する入力手段と、前記出力されたキー識別子に応じて第１の動作を実行した後に第２の動作を実行する処理手段とを有する情報処理装置において、
前記複数のキーの中の一時に操作された少なくとも２つのキーに対応する識別子の組合せと、所定のキー識別子と、当該一時の操作時に実行中の動作とを対応付けて記憶する記憶手段を備え、
前記処理手段は、前記第１の動作中に、その第１の動作が続く操作を示すキーと、前記第２の動作へ進むための操作を示すキーとが一時に操作された場合、前記記憶手段に当該第１の動作と対応付けられて記憶された前記所定のキー識別子に応じて、前記第２の動作へ進むための操作を示すキーが操作されたとして動作し、前記第２の動作中に、その第２の動作を終了するための操作を示すキーと、その第２の動作が続く操作を示すキーとが一時に操作された場合、前記記憶手段に当該第２の動作と対応付けられて記憶された前記所定のキー識別子に応じて、前記第２の動作が続くための操作を示すキーが操作されたとして動作する
ことを特徴とする情報処理装置。
【請求項８】
複数のキーからなり、前記複数のキーの中の１つのキーが操作された場合、この操作されたキーの識別子を出力する入力手段と、
前記複数のキーの中の一時に操作された少なくとも２つのキーに対応する識別子の組合せと、この操作されたキーに対応する識別子のうちの所定のキー識別子と、当該一時の操作時に実行中の動作とを対応付けて記憶する記憶手段と、
第１の動作中に、その第１の動作が続く操作を示すキーと、第２の動作へ進むための操作を示すキーとが一時に操作された場合、前記記憶手段に当該第１の動作と対応付けられて記憶された前記所定のキー識別子に応じて、前記第２の動作へ進むための操作を示すキーが操作されたとして動作し、前記第２の動作中に、その第２の動作を終了するための操作を示すキーと、その第２の動作が続く操作を示すキーとが一時に操作された場合、前記記憶手段に当該第２の動作と対応付けられて記憶された前記所定のキー識別子に応じて、前記第２の動作が続くための操作を示すキーが操作されたとして動作することによって、前記第１の動作を実行した後に前記第２の動作を実行する処理手段と
を備えたことを特徴とする情報処理装置。
【請求項９】
前記記憶手段は、前記第１の動作に対応付けて、前記入力手段上の第１の方向に位置するキーの識別子と、前記入力手段上の第１の方向に位置しないキーの識別子とからなる前記操作されたキーに対応する識別子の組合せと、前記第１の方向に位置しないキーの識別子からなる前記所定のキー識別子とを記憶し、
前記処理手段は、前記第１の動作を実行中に、前記第１の方向上に位置するキーが操作されると前記第１の動作を続け、前記第１の方向上に位置しないキーが操作されると前記第２の動作に進み、前記第１の方向上に位置するキー及び前記第１の方向上に位置しないキーが一時に操作されると、前記記憶手段に記憶された前記所定のキー識別子によって識別されるキーが操作されたとして前記第２の動作に進む
ことを特徴とする請求項７または請求項８に記載の情報処理装置。
【手続補正２】
【補正対象書類名】明細書
【補正対象項目名】０００８
【補正方法】変更
【補正の内容】
【０００８】
上記目的を達成するために、本発明の情報処理装置は、複数のキーからなり、一時に操作された１つまたは複数の前記キーの識別子を出力する入力手段と、前記出力されたキー識別子に応じて第１の動作を実行した後に第２の動作を実行する処理手段とを有する情報処理装置において、前記一時の操作によって出力される複数のキー識別子の組合せと、所定のキー識別子と、当該一時の操作時に実行中の動作とを対応付けて記憶する記憶手段を備え、前記処理手段は、前記第１の動作中に、その第１の動作が続く操作を示すキーの識別子と、前記第２の動作へ進むための操作を示すキーの識別子とが前記入力手段から出力された場合、前記記憶手段に当該第１の動作と対応付けられて記憶された前記所定のキー識別子に応じて、前記第２の動作へ進むための操作を示すキーが操作されたとして動作し、前記第２の動作中に、その第２の動作を終了するための操作を示すキーの識別子と、その第２の動作が続く操作を示すキーの識別子とが前記入力手段から出力された場合、前記記憶手段に当該第２の動作と対応付けられて記憶された前記所定のキー識別子に応じて、前記第２の動作が続くための操作を示すキーが操作されたとして動作することを特徴とする。